(57)【特許請求の範囲】
【請求項１】
磁気回路を構成するように配置された第１及び第２のコアと、
前記第１、及び第２のコアに巻き回されている第１及び第２のコイルと、
前記第１及び第２のコイルに対して水平周期の電流を供給する手段と、
前記第１及び第２のコアに対して磁気バイアスを加えるように配置されているマグネットとからなるミスコンバーゼンス補正装置において、
前記マグネットから発生する漏洩磁界を解消するための逆極性マグネットが配置されていることを特徴とするミスコンバーゼンス補正装置。
【請求項２】
上記マグネットは上記第１及び第２のコアに対応して回転可能に装着されていることを特徴とする請求項１に記載のミスコンバーゼンス補正装置。
【請求項３】
上記逆特性マグネットは上記マグネットに隣接して回転可能に配置されていることを特徴とする請求項１に記載のミスコンバーゼンス補正装置。
【請求項４】
上記マグネットは円盤状の形状とされていることを特徴とする請求項１に記載のミスコンバーゼンス補正装置。
【発明の詳細な説明】
【０００１】
【発明の属する技術分野】
本発明は、ミスコンバーゼンス補正装置に係わり、特にインライン型のカラー陰極線管のミスコンバーゼンスを補正するミスコンバーゼンス補正装置に関するものである。
【０００２】
【従来の技術】
インライン型のカラー陰極線管におけるダイナミックコンバーゼンス方式の中には、例えば特願昭６０−１１１６７５号に記載されているように、リアクタを用いた補正方式が知られている。
また、このリアクタのバイアス磁界の加え方を改良したものとして、特開平４−８８７８８号が提案されており、この方式によるとマグネットの回転によってＸ軸上の縦ミスコンバーゼンスの補正が容易にできる。
【０００３】
図４(a)(b)は上記Ｘ軸上の対象ミスコンバーゼンス補正用の原理を示したもので、コ字状のコア２１の磁脚２１Ａ、２１Ｂにはサブコイル２２及び２３が巻き回されたコイルボビン２４及び２５が取り付けられている
サブコイル２２及び２３は並列接続された偏向コイルに対してそれぞれ直列に接続される。
【０００４】
前記コ字状のコア２１の磁脚２１Ａ，２１Ｂに対抗するように周辺部にＮ極およびＳ極を有する柱状のマグネット２６が中心線ｌ上の軸に対して回転可能に装着されている。
そして、このマグネット２６を図（ｂ）に示すように回転することにより、サブコイル２２及び２３が巻回されている磁脚２１Ａ，２１Ｂを通過する一点鎖線のバイアス磁界を可変できるようにしたものである。
【０００５】
このバイアス磁界はサブコイル２２、２３においてそれぞれ逆方向に作用するようにサブコイル２２、２３が巻き回されており、さらに、サブコイル２２、２３には電子ビームの左側偏向時と、右側偏向時においてそれぞれ逆向きに電流が流れるようになされている。
【０００６】
【発明が解決しようとする課題】
上記したようなミスコンバーゼンス補正装置は、マグネット２６を回転することによって、１対のサブコイル２２、２３に流れる電流による実線の磁界に対して、逆方向のバイアス磁界を加えることができ、このバイアス磁界の向き及び強さをマグネットの回転によって制御しサブコイル２２、２３のインダクタンスを可変することにより、、画面のＸ軸端に発生する対象縦ミスコンバーゼンスを解消するように調整することが可能になる。
しかしながら、磁気回路を小型にするとマグネット２６を回転したときにこのマグネット２６から漏洩している漏洩磁界も変化し、その漏洩磁界の変化が陰極線管の電子ビームの軌道に影響を与え、色純度を変化させたり、画歪みを発生するという問題が生じると共に、これらの問題をミスコンバーゼンスの調整と絡んで解消するように作業するため、調整作業に時間がかかるという問題があった。
【０００７】
【課題を解決するための手段】
本発明のミスコンバーゼンス補正装置はかかる問題点を解消するために、磁気回路を構成するように配置された第１及び第２のコアと、前記第１、及び第２のコアに巻き回されている第１及び第２のコイルと、前記第１及び第２のコイルに対して水平周期の電流を供給する手段と、前記第１及び第２のコアに対して磁気バイアスを加えるように配置されているマグネットとからなるミスコンバーゼンス補正装置において、
前記マグネットから発生する漏洩磁界を相殺する方向に逆極性のマグネットを配置するようにしたものである。
【０００８】
【発明の実施の形態】
図１は本発明のミスコンバーゼンス補正装置を構成するＭＣアセンブリの概要図を示したものである。
この図１（ａ）において、Ｃ１及びＣ２はサブコイルＬ１、およびＬ２が巻き回されているコアボビンであり、このコアボビンＣ１、Ｃ２に対抗する極面に回転可能に平板状のマグネットＭが配置されている。
マグネットＭはその周辺部を磁化した円筒型の形状をしており、例えばＳ極とＮ極がコアボビンＣ１、Ｃ２に対抗している回転位置で、最大の磁気バイアスをコアボビンＣ１、Ｃ２に与えることができる。
【０００９】
図１の（ｂ）は上記ミスコンバーゼンス補正装置の側面から見た図面であって、マグネットＭが中心線Ａを回転軸とし回転できるように、図示されていない支持機構で支持されている。また、本発明の特徴とする逆バイアスマグネットＭ（inv ）がマグネットＭの下方に隣接して取り付けられている。
この逆バイアスマグネットＭ(inv) はバイアス用のマグネットＭに対して少し磁化力の弱いものを使用するようにしているが、調整時にはマグネットＭの回転に追従して回転できるように装着されている。
【００１０】
なお、これらＭＣアセンブリはコアボビンＣ１、Ｃ２、及びマグネットＭがプラスチックのケース等に収納され、通常は陰極線管のネック部に配置されるＣＲＴ基板や、ヨーク基板上に実装される。そしてＭＣアセンブリによって生成された補正電流がコンバーゼンスヨークに供給されることによって、主にＸ軸縦ミスコンバーゼンスを解消するように調整される。
【００１１】
ミスコンバーゼンス補正は、図２に示すように水平偏向電流が流れている水平偏向コイル１１に流れる電流（またはその電流成分）を上記したサブコイルＬ１、Ｌ２からなるＭＣアセンブリ１２を介して、補正ヨーク装置１３の偏向補正コイルに供給することによって陰極線管内の偏向磁界の中心を変化させ、電子ビーム、特にＲ色およびＢ色のビームの偏向軌跡をＧ色のビームと一致するように補正する。
そして、各色のビーム照射距離や、電子銃のバラツキによって発生する管面のＸ軸上に発生する対象縦ミスコンを補正するものである。
【００１２】
この場合、上記マグネットＭを回転すると、コアボビンＣ１、Ｃ２に供給されているバイアス磁界が変化し、サブコイルＬ１、及びＬ２のインダクタンスが変化する。このインダクタンスの変化はサブコイルＬ１、及びＬ２が相互に反対方向に変化するようにコイルが巻かれているので、上記の実施例のＭＣアセンブリでは１個のマグネットの回転によってミスコンバーゼンスの補正を行うことができる。
また、上記したようにＭＣアセンブリをオープン磁気回路構成によってすると、きわめて小型化され、ＣＲＴ基板や、ＤＹ基板等にも十分に実装できる大きさにすることができるが、マグネットＭの漏洩磁束がＣＲＴの電子ビームに影響を与え易くなり、ラスタの形状や、色純度が損なわれる場合がある。
【００１３】
しかしながら、本発明の場合はこのマグネットＭから出力された漏洩磁束を低減するために、図１（ｂ）に示したように逆バイアスマグネットＭ(inv) を取り付け、空間に放出された漏洩磁界を相殺することができる。
例えば、ＭＣアセンブリがＣＲＴ基板に取り付けられているときは、図３の実線で示すようにマグネットＭからの磁束が漏洩磁界として外部に放出されるが、このマグネットＭとほぼ同一位置に配置されている逆バイアス用のマグネットＭ（inv ）を取り付けると、この逆バイアス用のマグネットＭ(inv) から放出される漏洩磁界が外部で一点鎖線で示すように実線の漏洩磁界をキャンセルする方向に作用する。
その結果、このマグネットＭの漏洩磁界に影響していた電子ビームの振る舞いが緩和され、陰極線管の場合は主に色純度の劣化を解消することができる。
逆バイアスマグネットＭ(inv) はマグネットＭのＣＲＴネック部に近い側に設けることが好ましい。
なお、図３に示すようにＭＣアセンブリは偏向ヨークＤＹの基板上にＭＣ’として取り付けられることもある。
【００１４】
図１（ｂ）に示されている逆バイアス用のマグネットＭ(inv) は、漏洩磁界の影響を考慮して、種種の磁化特性のものを選択することができると共に、マグネットＭに対する取り付け角度を調整することによっても漏洩磁界の影響をできるだけ少なくなるように取り付けることができ、比較的簡単な調整作業でミスコンの解消と、色純度の劣化を同時に解消することができる。
【００１５】
【発明の効果】
以上説明したように本発明は、マグネットのバイアス磁界を利用してミスコンバーゼンスを調整するミスコンバーゼンス補正装置において、調整用のマグネットに対して逆バイアスとなるような磁極を有する逆極性マグネットを取り付けているので、ミスコンバーゼンス補正装置によって調整作業中に色純度等が崩れることを防止することができる。また装置を小型化したときでも漏洩磁界の影響を少なくし、ミスコンバーゼンス調整作業を容易に実現することができるという効果がある。
【図面の簡単な説明】
【図１】本発明のミスコンバーゼンス補正装置の概要図である。
【図２】Ｘ軸縦ミスコンバーゼンスの補正回路の説明図である。
【図３】漏洩磁界の影響を示す説明図である。
【図４】従来のミスコンバーゼンス補正装置の説明図である。
【符号の説明】
Ｌ１，Ｌ２  サブコイル、  Ｃ１，Ｃ２  コアボビン、
Ｍ  マグネット、Ｍ(inv)   逆バイアスマグネット
【図１】
0003809707.tif 000002
【図２】
0003809707.tif 000003
【図３】
0003809707.tif 000004
【図４】
0003809707.tif 000005